(57)【要約】【課題】  原水からエンドトキシンを良好に除去してその残存濃度を最小限度まで低下させること。【解決手段】  原水タンク１から前処理部２への供給配管６ａの途中に二つの磁気処理器７ａ、７ｂを外装し、その間から循環用配管６ｆを分岐させて原水タンク１に戻し、前処理部２の処理水を軟水タンク３に供給すべく供給配管６ｂを接続する。軟水タンク３から逆浸透処理部４への供給配管６ｃの途中に磁気処理器７ｃを外装し、磁気処理器７ｃの直近下流の部位から循環用配管６ｈを分岐させて軟水タンク３に戻し、逆浸透処理部４の逆浸透処理水（精製水）を供給配管６ｅを通じて精製水タンク５に供給する。磁気処理器７ａ、７ｂ、７ｃで繰り返し磁気作用を与え、処理水中のエンドトキシンを凝集させ、濾過分離させやすくする。【選択図】  図１
2005144389.tif 000002
【特許請求の範囲】
【請求項１】
処理水を逆浸透膜モジュールからなる逆浸透処理部を通過させて人工透析用の希釈液である精製水を製造する人工透析器用の精製水を製造する水処理装置に於いて、
前記逆浸透処理部の上流のいずれかの段階の配管であって、処理水の通過する非磁性体製の配管の外周に、該配管を挟んで対面する磁石相互の極性が異なるように配列された永久磁石列からなる磁気処理器を外装してエンドトキシンの凝集を促進させるようにした人工透析器用の精製水を製造する水処理装置。
【請求項２】
前記配管の前記磁気処理器を外装した部位の下流から該配管を通過する処理水の一部を該磁気処理器を外装した部位より上流に環流させる循環用配管を付設した請求項１の人工透析器用の精製水を製造する水処理装置。
【請求項３】
前記逆浸透処理部の上流側に、原水を導入して保管する原水タンク、該原水タンクの原水を受け取って軟水化する軟水装置及び濾過処理をする活性炭濾過装置からなる前処理部、並びに該前処理部による処理を経た処理水を保管する軟水タンクを順次配し、該逆浸透処理部は該軟水タンクから処理水の供給を受けてこれを逆浸透処理するように構成すると共に、該逆浸透処理部の下流には、該逆浸透処理部による処理済みの精製水を保管する精製水タンクを配することとし、
前記磁気処理器を、前記原水タンクから前記前処理部に原水を供給する非磁性体製の原水供給配管の途中に外装し、かつ該原水供給配管の磁気処理器を配した部位と前記前処理部との間から該原水タンクに戻る循環用配管を分岐させ、下流への供給原水の一部を原水タンクに循環復帰させ得るように構成した請求項１の人工透析器用の精製水を製造する水処理装置。
【請求項４】
前記逆浸透処理部の上流側に、原水を導入して保管する原水タンク、該原水タンクの原水を受け取って軟水化する軟水装置及び濾過処理をする活性炭濾過装置からなる前処理部、並びに該前処理部による処理を経た処理水を保管する軟水タンクを順次配し、該逆浸透処理部は該軟水タンクから処理水の供給を受けてこれを逆浸透処理するように構成すると共に、該逆浸透処理部の下流には、該逆浸透処理部による処理済みの精製水を保管する精製水タンクを配することとし、
前記磁気処理器を、前記軟水タンクから前記逆浸透処理部に処理水を供給する非磁性体製の処理水供給配管の途中に外装し、かつ該処理水供給配管の磁気処理器を配した部位と前記逆浸透処理部との間から該軟水タンクに戻る循環用配管を分岐させ、下流への供給処理水の一部を軟水タンクに循環復帰させ得るように構成した請求項１の人工透析器用の精製水を製造する水処理装置。
【請求項５】
前記磁気処理器を、これを外装する配管の長さ方向に沿って交番磁界を構成するように配列した永久磁石の磁石列で構成した請求項１、２、３又は４の人工透析器用の精製水を製造する水処理装置。
【請求項６】
前記磁気処理器を、それぞれ０．７〜１．２Ｔの磁束密度を持った永久磁石を配列して構成した請求項１、２、３、４又は５の人工透析器用の精製水を製造する水処理装置。
【請求項７】
前記配管の磁気処理器を外装した部位を通過する処理水の流速を１〜２m/sに設定した請求項１、２、３、４、５又は６の人工透析器用の精製水を製造する水処理装置。
【発明の詳細な説明】
【技術分野】
【０００１】
本発明は、人工透析器に希釈液として供給する精製水を水道水等の原水から精製する人工透析器用の精製水を製造する水処理装置に関し、特にエンドトキシンを良好に除去してその残存濃度を最小限度まで低下させる人工透析器用の精製水を製造する水処理装置に関するものである。
【背景技術】
【０００２】
エンドトキシンは、グラム陰性桿菌の細胞膜外壁を構成するリポ多糖であり、細菌毒素の一種で、溶菌又は菌体の破壊によって遊出するものである。上記のようにグラム陰性桿菌に存在し、これに属するいずれの菌のそれでもその種類に関係なく毒作用を示し、これが体内に入ると、下痢、出血、白血球の変動、発熱などの症状を起こす。またこのエンドトキシンは微小な毒素であって、これが透析液に含まれていると、透析器の半透膜を介して透析を行う患者の血液中に移行する虞がある。
【０００３】
透析液を作製するためにその原液を希釈する精製水は、水道水又は井戸水等を原水としてこれを逆浸透処理して精製するものであり、処理済みの精製水は逆浸透膜で濾過され、水分子のみとなっているはずであるが、単に逆浸透膜を用いた水処理装置で処理されただけの精製水には多量のエンドトキシンが含まれているのが実情である。
【０００４】
このようなエンドトキシンを多量に含む精製水を透析液作成用の希釈水として使用すればそれは患者の血液中に移行し、いずれ前記のような症状の発生に至るものであり、これを使用すべきでないのは云うまでもない。このような精製水の製造に関して、エンドトキシンの除去装置類が提案されている。
【０００５】
例えば、人工透析用水精製装置に供給される原水の前処理手段として別体に設けられてなる、酢酸セルロース素材より製造されたマイクロフィルター、ウルトラフィルターおよびナノフィルターよりなる群から選ばれる少なくとも一種の濾過膜による水処理装置が提案されている（特許文献１）。
【０００６】
しかし過去の経験から前記濾過膜ではエンドトキシンの通過を完全には阻止できないのは明らかである。マイクロフィルターやウルトラフィルターではその通過を阻止することは困難であり、ナノフィルターであっても菌体の微小な一部の通過を阻止するには十分ではない。逆浸透膜（ＲＯ膜）であっても、経年劣化の問題等があるのか原因は明らかではないが、実際には、エンドトキシンが通過しているのが実情である。従って単に濾過膜で通過を阻止しようとしているに過ぎない特許文献１の濾過膜による水処理装置でエンドトキシンの精製水への混入を防止するのは極めて困難であると言わざるを得ない。
【０００７】
【特許文献１】特開２００２−１１３３０号公報
【発明の開示】
【発明が解決しようとする課題】
【０００８】
本発明は、水道水等等の原水からエンドトキシンを良好に除去してその残存濃度を最小限度まで低下させ得る人工透析器用の精製水を製造する水処理装置を提供することを解決の課題とする。
【課題を解決するための手段】
【０００９】
本発明の１は、処理水を逆浸透膜モジュールからなる逆浸透処理部を通過させて人工透析用の希釈液である精製水を製造する人工透析器用の精製水を製造する水処理装置に於いて、
前記逆浸透処理部の上流のいずれかの段階の配管であって、処理水の通過する非磁性体製の配管の外周に、該配管を挟んで対面する磁石相互の極性が異なるように配列された永久磁石列からなる磁気処理器を外装してエンドトキシンの凝集を促進させるようにした人工透析器用の精製水を製造する水処理装置である。
【００１０】
本発明の２は、本発明の１の人工透析器用の精製水を製造する水処理装置に於いて、前記配管の前記磁気処理器を外装した部位の下流から該配管を通過する処理水の一部を該磁気処理器を外装した部位より上流に環流させる循環用配管を付設したものである。
【００１１】
本発明の３は、本発明の１の人工透析器用の精製水を製造する水処理装置に於いて、前記逆浸透処理部の上流側に、原水を導入して保管する原水タンク、該原水タンクの原水を受け取って軟水化する軟水装置及び濾過処理をする活性炭濾過装置からなる前処理部、並びに該前処理部による処理を経た処理水を保管する軟水タンクを順次配し、該逆浸透処理部は該軟水タンクから処理水の供給を受けてこれを逆浸透処理するように構成すると共に、該逆浸透処理部の下流には、該逆浸透処理部による処理済みの精製水を保管する精製水タンクを配することとし、
前記磁気処理器を、前記原水タンクから前記前処理部に原水を供給する非磁性体製の原水供給配管の途中に外装し、かつ該原水供給配管の磁気処理器を配した部位と前記前処理部との間から該原水タンクに戻る循環用配管を分岐させ、下流への供給原水の一部を原水タンクに循環復帰させ得るように構成したものである。
【００１２】
本発明の４は、本発明の１の人工透析器用の精製水を製造する水処理装置に於いて、前記逆浸透処理部の上流側に、原水を導入して保管する原水タンク、該原水タンクの原水を受け取って軟水化する軟水装置及び濾過処理をする活性炭濾過装置からなる前処理部、並びに該前処理部による処理を経た処理水を保管する軟水タンクを順次配し、該逆浸透処理部は該軟水タンクから処理水の供給を受けてこれを逆浸透処理するように構成すると共に、該逆浸透処理部の下流には、該逆浸透処理部による処理済みの精製水を保管する精製水タンクを配することとし、
前記磁気処理器を、前記軟水タンクから前記逆浸透処理部に処理水を供給する非磁性体製の処理水供給配管の途中に外装し、かつ該処理水供給配管の磁気処理器を配した部位と前記逆浸透処理部との間から該軟水タンクに戻る循環用配管を分岐させ、下流への供給処理水の一部を軟水タンクに循環復帰させ得るように構成したものである。
【００１３】
本発明の５は、本発明の１、２、３又は４の人工透析器用の精製水を製造する水処理装置に於いて、前記磁気処理器を、これを外装する配管の長さ方向に沿って交番磁界を構成するように配列した永久磁石の磁石列で構成したものである。
【００１４】
本発明の６は、本発明の１、２、３、４又は５の人工透析器用の精製水を製造する水処理装置に於いて、前記磁気処理器を、それぞれ０．７〜１．２Ｔの磁束密度を持った永久磁石を配列して構成したものである。
【００１５】
本発明の７は、本発明の１、２、３、４、５又は６の人工透析器用の精製水を製造する水処理装置に於いて、前記配管の磁気処理器を外装した部位を通過する処理水の流速を１〜２m/sに設定したものである。
【発明の効果】
【００１６】
本発明の１の人工透析器用の精製水を製造する水処理装置によれば、該水処理装置の逆浸透処理部の上流のいずれかの段階で、配管を通過する精製途中の処理水に該配管に外装した磁気処理器による磁気作用を受けさせ、該処理水中に含まれるエンドトキシンを凝集させることができる。それ故、該エンドトキシンを下流の逆浸透処理部の逆浸透膜で効率的に除去することができ、エンドトキシンの割合の極めて低い精製水を得ることができることとなる。
【００１７】
なおこのエンドトキシンの凝集作用は処理水が磁気作用によって界面活性力を獲得し、これによって行われるものと考えられる。また磁気処理器による磁気作用は併せて処理水に酵素活性力を付与するものでもあり、この水処理装置で得られる精製水を使用して人工透析を行った場合、患者の身体の活性を高め、健康を増進することができる。これらはいずれも処理水のクラスターが磁気作用によって小さくなることに起因すると考えられる。またこのように磁気作用を受けた精製水はその後の細菌の増殖やこれに伴うエンドトキシンの発生を抑制する働きをも有する。
【００１８】
本発明の２の人工透析器用の精製水を製造する水処理装置によれば、精製途中の処理水が磁気処理器を外装した配管中を循環して複数回通過し、その磁気作用を複数回受ける可能性があるようにしたため、これによって該処理水中に含まれるエンドトキシンが一層高い割合で凝集し、後段の逆浸透処理部でその除去がより確実に行われ得ることとなる。
【００１９】
本発明の３の人工透析器用の精製水を製造する水処理装置によれば、導入した原水を軟水化処理及び活性炭濾過処理を行う前処理の前の段階で、該前処理に供給する原水を循環させながら磁気処理器中を通過させ、該磁気処理器による磁気作用を複数回受け得るようにしたため、これによって該原水中に含まれるエンドトキシンはより高い割合で凝集し、後段の逆浸透処理部でその除去がより確実に行われることとなる。
【００２０】
本発明の４の人工透析器用の精製水を製造する水処理装置によれば、軟水化処理及び活性炭濾過処理の前処理が済んだ処理水を逆浸透処理部に供給する直前の段階で、循環させながら磁気処理器中を通過させ、その磁気処理器の磁気作用を複数回受け得るようにしたため、これによって処理水中に含まれるエンドトキシンは一層高い割合で凝集することとなり、後段の逆浸透処理部でその除去がより確実に行われることとなる。
【００２１】
本発明の５の人工透析器用の精製水を製造する水処理装置によれば、磁気処理器を外装した配管中を通過する処理水は該磁気処理器を構成する永久磁石によって交番磁界中を切て通過することとなり、該処理水中に含まれるエンドトキシンの凝集がより効率的に行われることとなる。
【００２２】
本発明の６の人工透析器用の精製水を製造する水処理装置によれば、前記磁気処理器を構成する永久磁石の磁束密度が適切な範囲に設定されているため、この磁気処理器を外装した配管中を通過する処理水は適切な磁束密度の磁界中を通過し、その中に含まれるエンドトキシンの凝集がより効率的に行われることとなる。
【００２３】
本発明の７の人工透析器用の精製水を製造する水処理装置によれば、磁気処理器を外装した配管を通過する処理水は、その通過速度が適切に設定されているため、磁界を切る速度が適切となり、該処理水中に含まれるエンドトキシンの凝集が非常に効率的に行われることとなる。
【発明を実施するための最良の形態】
【００２４】
本発明は、処理水を逆浸透膜モジュールからなる逆浸透処理部を通過させることにより人工透析用の希釈液である精製水を製造する人工透析器用の精製水を製造する水処理装置に於いて、
前記逆浸透処理部の上流のいずれかの段階の非磁性体製の配管の外周に磁気処理器を外装し、該配管内を通過する処理水に磁気作用を及ぼし、該処理水中に含まれるエンドトキシンの凝集を促進させ、これによって該逆浸透処理部でその通過を許容させないようにし、エンドトキシンの含まない精製水を製造し得るようにしたものである。
【００２５】
前記水処理装置は、前記のように、人工透析用の希釈液である精製水を製造するための装置であり、前記のように、少なくとも、逆浸透膜モジュールからなる逆浸透処理部を備えた装置である。該逆浸透処理部は、逆浸透膜モジュールとこれに処理水を高圧力で供給するポンプ装置とで構成される。またこの水処理装置は、通常、この逆浸透処理部の前段に、原水である水道水又は井戸水等を処理水として軟水化する軟水装置、純水にする純水装置及び活性炭濾過装置の１又は２を含む前処理部を備えている。更にこの水処理装置には、受け入れた原水を一時保管する原水タンク、上記前処理部による処理を終えた処理水を保管する軟水タンク及び前記逆浸透処理部による処理を終えた精製水を保管する精製水タンクを備えるのが普通である。
【００２６】
前記水処理装置の各構成要素間を連結する配管は、その内、少なくとも、前記磁気処理器を外装する部位は非磁性体で構成し、内部を通過する処理水に効率的に磁気作用を及ぼし得るようにしておく必要がある。
【００２７】
前記磁気処理器は、前記配管を挟んで対面する磁石相互の極性が異なるように配列された永久磁石列からなるものである。
例えば、該磁気処理器は、対面する永久磁石二個で一組の磁石対を該配管の長さ方向に沿って配列し、かつ隣接する各磁石対の極性を交互に異なるように配列することにより、該配管内を通過する処理水が移動にともなって順次向きの異なる磁界を通過しうるように構成するのが好ましい。即ち、前記磁気処理器を、これを外装する配管の長さ方向に沿って交番磁界を構成するように配列した永久磁石の磁石列で構成するのが適当である。
【００２８】
前記磁気処理器を構成する永久磁石は、０．７〜１．２Ｔの磁束密度を持ったそれを採用するのが適当である。
【００２９】
また前記磁気処理器は、前記したように、前記逆浸透処理部の上流側の非磁性体製の配管に外装状態に取り付ければ、その配管内を通過する処理水に磁気作用を及ぼし、その中に含まれるエンドトキシンの凝集を促進させることができるが、更に該配管の磁気処理器を外装した部位の下流から通過する処理水の一部を該磁気処理器を外装した部位より上流に環流させる循環用配管を付設すれば、処理水に磁気作用を及ぼす回数を増加することが可能になり、エンドトキシンの凝集作用を一層増進することが可能となる。
【００３０】
より具体的には、前記逆浸透処理部の上流側に、原水を導入して保管する原水タンク、該原水タンクの原水を受け取って軟水化する軟水装置及び濾過処理をする活性炭濾過装置からなる前処理部、並びに該前処理部による処理を経た処理水を保管する軟水タンクを順次配し、該逆浸透処理部は該軟水タンクから処理水の供給を受けてこれを逆浸透処理するように構成すると共に、該逆浸透処理部の下流には、該逆浸透処理部による処理済みの精製水を保管する精製水タンクを配することとし、
前記磁気処理器を、前記原水タンクから前記前処理部に原水を供給する非磁性体製の原水供給配管の途中に外装し、かつ該原水供給配管の磁気処理器を配した部位と前記前処理部との間から該原水タンクに戻る循環用配管を分岐させ、下流への供給原水の一部を原水タンクに循環復帰させ得るように構成することが可能であり、これによって、原水（処理水）に磁気作用を及ぼす回数を増加させることが可能になり、エンドトキシンの凝集作用を一層増進することが可能となるものである。
【００３１】
また、前記逆浸透処理部の上流側に、原水を導入して保管する原水タンク、該原水タンクの原水を受け取って軟水化する軟水装置及び濾過処理をする活性炭濾過装置からなる前処理部、並びに該前処理部による処理を経た処理水を保管する軟水タンクを順次配し、該逆浸透処理部は該軟水タンクから処理水の供給を受けてこれを逆浸透処理するように構成すると共に、該逆浸透処理部の下流には、該逆浸透処理部による処理済みの精製水を保管する精製水タンクを配することとし、
前記磁気処理器を、前記軟水タンクから前記逆浸透処理部に処理水を供給する非磁性体製の処理水供給配管の途中に外装し、かつ該処理水供給配管の磁気処理器を配した部位と前記逆浸透処理部との間から該軟水タンクに戻る循環用配管を分岐させ、下流への供給処理水の一部を軟水タンクに循環復帰させ得るように構成することが可能であり、これによって、処理水に磁気作用を及ぼす回数を増加させることが可能になり、エンドトキシンの凝集作用を一層増進することが可能となるものである。
【００３２】
なお以上の人工透析器用の精製水を製造する水処理装置に於いて、前記配管の磁気処理器を外装した部位を通過する処理水の流速を１〜２m/sに設定するのが適当である。これによって処理水に適切に磁気作用を及ぼすことが可能となる。
【００３３】
従って本発明の人工透析器用の精製水を製造する水処理装置によれば、先に述べたように、該水処理装置の逆浸透処理部の上流のいずれかの段階で、配管を通過する精製途中の処理水に該配管に外装した磁気処理器で磁気作用を受けさせ、該処理水中に含まれるエンドトキシンを凝集させることができる。それ故、該エンドトキシンを下流の逆浸透処理部の逆浸透膜で効率的に除去することができ、エンドトキシンの割合の極めて低い精製水を得ることができることとなる。
【００３４】
先にに述べたように、磁気処理器の永久磁石の配列をその中を通過する処理水が交番磁界中を通過しうるように構成し、更にそれらの永久磁石の磁束密度を適切に設定し、かつ磁界中を通過する処理水の速度を適切に設定することにより、処理水により効果的な磁気作用を与え、その中のエンドトキシンの凝集を一層高い割合で生じさせることを可能とすることができる。また処理水を循環させて何回も磁気処理気中を通過させることにより、その磁気作用を繰り返し受けさせ、その中に含まれることのなるエンドトキシンの凝集作用を高めることができるものである。
【実施例１】
【００３５】
以下本発明を適用した実施例１について、図１及び図２を参照しながら説明する。
【００３６】
この実施例１の人工透析器用の精製水を製造する水処理装置は、図１に示すように、原水として受け入れる水道水を一時的に保管する原水タンク１と、その原水を前処理する前処理部２と、前処理部２で処理された処理水を保管する軟水タンク３と、軟水タンク３から処理水を受け取って逆浸透処理を行う逆浸透処理部４と、その処理水である精製水（ＲＯ水）を保管する精製水タンク５と、前記原水タンク１から前記前処理部２に原水を供給する供給配管６ａと、該供給配管６ａの途中に配した二つの磁気処理器７ａ、７ｂと、前記前処理部２から前記軟水タンク３に前処理済みの処理水を供給する供給配管６ｂと、該軟水タンク３から前記逆浸透処理部４に処理水を供給する供給配管６ｃと、該供給配管６ｃの途中に配した磁気処理器７ｃと、該逆浸透処理部４の濃縮水を該供給配管６ｃの途中に循環させる循環用配管６ｄと、該循環用配管６ｄの途中に配した磁気処理器７ｄと、該逆浸透処理部４からその処理水である精製水を精製水タンク５に供給する供給配管６ｅとで、基本的に構成したものである。
【００３７】
前記原水タンク１は、図示しない水位検出手段を備え、前記供給配管６ａを通じて保管している原水が前記前処理部２側に供給され、水位が低下すると、これを検出して、導入配管８の図示しないバルブを開いて、常時、所定水位を維持するように原水である水道水を受け入れるようになっている。
【００３８】
前記前処理部２は、図１に示すように、軟水装置２ａと活性炭濾過装置２ｂとからなり、前記原水タンク１から供給配管６ａを介して受け入れた原水を該軟水装置２ａで軟水化し、更に該活性炭濾過装置２ｂで濾過する前処理を行い、得られた軟水を供給配管６ｂを通じて前記軟水タンク３に供給保管するようになっている。
【００３９】
前記軟水装置２ａは、イオン交換樹脂によって構成される従来一般のそれであり、原水から主としてカルシウムイオンやマグネシウムイオン等の陽イオンを除去して軟水化を図る装置である。また前記活性炭濾過装置２ｂは、云うまでもなく、活性炭を用いて構成した既存の濾過装置であり、塩素や有機物を除去する装置である。原水である水道水から陽イオンを除去して軟水化し、更に塩素や有機物を除去する処理を一般に前処理と称しており、この前処理部２は、以上の軟水化装置２ａと活性炭濾過装置２ｂとにより構成してこれを行う一般的な装置である。
【００４０】
前記軟水タンク３は、前記のように、前処理部２で前処理された処理水を受け入れてこれを一時的に保管するものであるが、その上部には、内部に垂下する紫外線殺菌灯３ａが設置してあり、保管する処理水中での菌の発生及び増殖を抑制するようになっている。また該軟水タンク３の下部から途中にポンプ装置３ｂを備えた取出配管３ｃを引き出し、該取出配管３ｃの外端に加温装置３ｄの受入側を接続し、更に該加温装置３ｄの吐出側に該軟水タンク３の上部に結合する戻り配管３ｅの外端を接続し、これによって該軟水タンク３中の処理水を加温装置３ｄに送って加温した上で再度軟水タンク３に戻し、常時、処理水の温度を所定の温度に保持することができるようになっている。
【００４１】
前記逆浸透処理部４は、図１に示すように、逆浸透膜モジュール４ａと、これに供給配管６ｃで送られてきた処理水を該逆浸透膜モジュール４ａに高圧にして加えるポンプ装置４ｂとからなる一般的な構成要素である。
【００４２】
前記精製水タンク５は、図１に示すように、前記逆浸透処理部３で逆浸透処理によって得られた精製水を受け入れてこれを一時的に保管するものであるが、その上部には、内部に垂下する紫外線殺菌灯５ａが設置してあり、保管する精製水中での菌の発生及び増殖を抑制するようになっている。また該精製水タンク５の下部には、側部からヒータ装置５ｂが挿入してあり、常時、該精製水タンク５内の精製水の温度を所定の温度に保持する用になっている。
【００４３】
前記供給配管６ａは、図１に示すように、その一端を前記原水タンク１の底部に接続し、他端を前記前処理部２の軟水装置２ａに接続した非磁性の塩化ビニル製配管であり、前記のように、その途中に二つの磁気処理器７ａ、７ｂを配してあるものである。原水タンク１側の磁気処理器７ａの更に原水タンク１側にはポンプ装置６ａ１が挿入してあり、原水タンク１の保管する原水を前記前処理部２側に送り出すようになっている。該ポンプ装置６ａ１と該磁気処理器７ａとの間には逆止弁６ａ２が挿入してあり、逆流を阻止するようになっている。
【００４４】
また該供給配管６ａの磁気処理器７ａ、７ｂの間の部位から、他端を原水タンク１の上部に連結させた循環用配管６ｆを分岐させ、該供給配管６ａ中を移送される原水の一部を前記原水タンク１に環流させるようにする。その分岐の磁気処理器７ｂよりの側の部位にバルブ６ａ３を挿入し、かつ循環用配管６ｆの途中にバルブ６ｆ１を挿入し、該バルブ６ａ３、６ｆ１を調整することで環流割合を調節できるようにする。
【００４５】
更に前記軟水タンク３の下部から、供給配管６ａの前処理部２に近接する磁気処理器７ｂとその直近上流側のバルブ６ａ３との間に他の循環用配管６ｇを配し、該循環用配管６ｇの途中に挿入したポンプ装置６ｇ１で軟水タンク３中の処理水の一部を該磁気処理器７ａの上流側に環流できるようにする。該循環用配管６ｇには、更に該ポンプ装置６ｇ１の吐出側に逆止弁６ｇ２を挿入する。
【００４６】
前記磁気処理器７ａ、７ｂは、図２(a)、(b)に示すように、複数の永久磁石ｍ、ｍ…を供給配管６ａを挟んで対面する状態に配して構成したものである。各々対面する一組の磁石ｍ、ｍは相互に逆極性の磁極で対面し、供給配管６ａの長さ方向には交互に磁界の方向が変わるように、各一組の永久磁石ｍ、ｍを配列したものである。これらの対面する各側の複数の永久磁石ｍ、ｍ…は、それぞれカバー部材Ｃの内側に支持され、両側の永久磁石ｍ、ｍ…を供給配管６ａに挟持状態に配すると共に、該カバー部材Ｃ、Ｃの両側の鍔部ｆを相互に当接させてボルト・ナットｂ、ｂ…で固定するようにしたものである。
【００４７】
該磁気処理器７ａ、７ｂの各永久磁石ｍ、ｍ…としてこの実施例では磁束密度が１．０Ｔのそれを採用した。
【００４８】
前記供給配管６ｃは、図１に示すように、その一端を前記軟水タンク３の底部に接続し、他端を前記逆浸透処理部４のポンプ装置４ｂに接続した非磁性の塩化ビニル製配管であり、前記のように、その途中に磁気処理器７ｃを配してあるものである。該磁気処理器７ｃの軟水タンク３側にはポンプ装置６ｃ１が挿入してあり、該軟水タンク３の保管する処理水を前記逆浸透処理部４側に送り出すようになっている。該ポンプ装置６ｃ１と該磁気処理器７ｃとの間には逆止弁６ｃ２が挿入してあり、逆流を阻止するようになっている。
【００４９】
また該供給配管６ｃの磁気処理器７ｃの直近下流側の部位から、他端を軟水タンク３の上部に連結させた循環用配管６ｈを分岐させ、該供給配管６ｃ中を移送される処理水の一部を前記軟水タンク３に環流させるようにする。その分岐の磁気処理器７ｃと反対側、即ち、前記ポンプ装置４ｂ側の部位にバルブ６ｃ３を、更にそのポンプ装置４ｂ側の部位に逆止弁６ｃ４を、それぞれ挿入し、かつ循環用配管６ｈの途中にバルブ６ｈ１を挿入し、該バルブ６ｃ３、６ｈ１を調整することで軟水タンク３への環流割合を調節できるようにする。
【００５０】
前記循環用配管６ｄは、前記のように、該逆浸透処理部４の濃縮水を該供給配管６ｃの途中に循環させるものであるが、その接続部位は、図１に示すように、該逆浸透処理部４のポンプ装置４ｂの入口側の近傍とする。該循環用配管６ｄは、同図に示すように、前記逆浸透膜モジュール４ａの濃縮水の吐出側の近傍で回収配管６ｉを分岐し、分岐から順に前記供給配管６ｃ側に向かってバルブ６ｄ１、逆止弁６ｄ２及び前記磁気処理器７ｄを挿入したものである。なお該磁気処理器７ｄは、前記磁気処理器７ａ、７ｂと全く同様の構成のものである。
【００５１】
前記回収配管６ｉは、図１に示すように、その末端に排水回収モジュール９が接続してあり、該回収配管６ｉの途中には該排水回収モジュール９に向かって順にバルブ６ｉ１、磁気処理器７ｅが配してある。こうして該バルブ６ｉ１及び前記バルブ６ｄ１を調整することで、逆浸透膜モジュール４ａからの濃縮水の前記供給配管６ｃ側への環流量と排水回収モジュール９側への供給量との割合が調節できるようになっている。なお逆止弁６ｄ２は、云うまでもなく、逆流防止用である。なおまた該磁気処理器７ｅは、前記磁気処理器７ａ、７ｂと全く同様の構成のものである。
【００５２】
前記排水回収モジュール９は、濃縮水を膜分離する濾過膜モジュールで、その更に濃縮された濃縮水は中水として利用すべく図示しない配管に接続して供給され、他方、通過回収された処理水は他の回収配管６ｊにより軟水タンク３に回収されるようになっている。
【００５３】
前記供給配管６ｅは、前記のように、該逆浸透処理部４からその処理水である精製水を精製水タンク５に供給する配管であり、その一端は逆浸透膜モジュール４ａに接続し、他端は該精製水タンク５の上部に接続したものである。
【００５４】
前記精製水タンク５の下部には、これが保管する精製水を透析液を調製するための希釈液として図示しない透析液調製器に供給する供給配管６ｋの端部が接続してあり、該供給配管６ｋには該透析液調製器に向かって順にポンプ装置６ｋ１及び磁気処理器７ｆが配してある。云うまでもなく、該ポンプ装置６ｋ１を動作させて精製水を透析液調製器に供給する。なお該磁気処理器７ｆは、前記磁気処理器７ａ、７ｂと全く同様の構成のものである。また該供給配管６ｋの該磁気処理器７ｆと透析液調製器との間から循環用配管６ｌを分岐してあり、その端部は精製水タンク５の上部に接続してある。該循環用配管６ｌの途中にはバルブ６ｌ１が挿入してあり、環流割合を調整できるようになっている。
【００５５】
前記軟水タンク３及び該精製水タンク５には、原水タンク１と同様に、図示しない水位検出手段を備え、その水位が低下すると、これを検出して、処理水又は精製水を導入するように、その前段の装置類を動作させ、水位が所定のレベルに達すれば、これを停止させるようになっており、常時、所定水位を維持するようになっている。
【００５６】
従ってこの実施例１の人工透析器用の精製水を製造する水処理装置によれば、処理水中に含まれるエンドトキシンを凝集させ、逆浸透処理部の逆浸透膜で効率的に除去い、エンドトキシンの割合の極めて低い精製水を得ることができることとなる。
【００５７】
原水タンク１に保管されている原水は、該原水タンク１から前記ポンプ装置６ａ１で供給配管６ａ中を送り出され、磁気処理器７ａ内を通過すると、その一部は前記前処理部２側に供給され、他の一部は循環用配管６ｆを通じて原水タンク１側に環流する。こうして原水タンク１に保管されている原水は磁気処理器７ａ内を複数回繰り返して通過し得ることとなる。原水は、磁気処理器７ａ内を通過することにより、交番磁界を切って移動し、その作用を強く受け、該原水中に含まれるエンドトキシンその他の異物は凝集することになるが、これが、上記のように繰り返されることで、その凝集は一層高い割合で行われることになる。
【００５８】
既に磁気処理器７ａの作用を受けて凝集したエンドトキシン等を含む原水は更に他の磁気処理器７ｂ中を通過して、その磁気作用を受け、同様に、更にエンドトキシン等の凝集作用を高めて、前処理部２に供給され、前記した軟水化処理及び活性炭濾過処理を受け、凝集した異物等の内、活性炭で濾過可能なものはこれで除去されることとなる。
【００５９】
こうして前処理を受けた処理水は、供給配管６ｂを通じて軟水タンク３に供給保管される。
【００６０】
軟水タンク３内の処理水は、前記紫外線殺菌灯３ａによりその中での菌の発生及び増殖が抑制されており、他方、加温装置３ｄにより所定の温度に保持されている。またその処理水の一部は循環用配管６ｇを通じて前記磁気処理器７ｂの直近上流側に環流され、繰り返し、該磁気処理器７ｂの磁気作用及び前処理部２の軟水化処理並びに活性炭濾過処理を受けることとなり、より効率的なエンドトキシン等の凝集、カルシウムイオンやマグネシウムイオンの除去等の軟水化処理、活性炭による塩素や有機物の除去が行われることとなる。
【００６１】
また軟水タンク３に保管されている処理水は、該軟水タンク３から前記ポンプ装置６ｃ１で供給配管６ｃ中を送り出され、磁気処理器７ｃ内を通過すると、その一部は前記逆浸透処理部４側に供給され、他の一部は循環用配管６ｈを経て軟水タンク３側に環流する。こうして軟水タンク３に保管されている処理水は、ここでも磁気処理器７ｃ内を複数回繰り返して通過し得ることとなる。処理水は、磁気処理器７ｃ内を繰り返し通過することにより、これに含まれるエンドトキシンが一層確実に凝集させられることとなる。
【００６２】
前記逆浸透処理部４側に供給される処理水は、以上の過程で、含まれるエンドトキシンが大きく凝集されており、これが該逆浸透処理部４で、ポンプ装置４ｂにより高圧力で逆浸透膜モジュール４ａに供給され、ここで濾過され、エンドトキシンは凝集して大きな塊となっているため、確実に除去され、殆ど水分子のみとなった精製水が該逆浸透膜モジュール４ａから取り出され、前記供給配管６ｅを通じて精製水タンク５に供給されることになる。この実施例１で、逆浸透膜モジュール４ａで濾過されて取り出される精製水のエンドトキシンの濃度は５ＥＵ／Ｌ以下となっていた。
【００６３】
他方、該逆浸透膜モジュール４ａで濃縮された濃縮水は、その一部が前記循環用配管６ｄを通じて供給配管６ｃ側に環流し、残部は回収配管６ｉを通じて排水回収モジュール９側に供給されることとなる。該循環用配管６ｄ側に流れ込んだ濃縮水は、その途中で磁気処理器７ｄ中を通過し、その際に前記磁気作用を受けるため、その中に含まれるエンドトキシンが更に凝集された状態となって供給配管６ｃに環流することとなる。その後はまたポンプ装置４ｂにより、前記したように、逆浸透膜モジュール４ａに加圧供給される。前記回収配管６ｉに流れ込んだ濃縮水は、その途中で磁気処理器７ｅ中を通過し、その際に前記磁気作用を受けるため、その中に含まれるエンドトキシンが更に凝集されて前記排水回収モジュール９に供給されることになる。
【００６４】
該排水回収モジュール９では、供給された濃縮水が濾過膜モジュールで分離され、更に濃縮された濃縮水は中水として利用すべく図示しない配管に供給され、他方、通過回収された処理水は他の回収配管６ｊを通じて前記軟水タンク３に回収される。ここでも該排水回収モジュール９に供給される濃縮水に含まれるエンドトキシンが凝集されて大きな塊となっているため、比較的容易に膜分離され、良好な処理水となって軟水タンク３に回収されることとなる。
【００６５】
前記のようにして、前記逆浸透処理部４で精製され、精製水タンク５に供給された精製水は、前記紫外線殺菌灯５ａによりその中での菌の発生及び増殖が抑制されており、他方、ヒータ装置５ｂにより所定の温度に保持されている。
【００６６】
前記精製水タンク５の精製水は、図示しない透析液調製器側の必要に応じてこれに供給される。該精製水タンク５内の精製水は、供給配管６ｋの途中に配したポンプ装置６ｋ１の動作により送り出され、その一部は磁気処理器７ｆ内を通過した後、その一部は循環用配管６ｌを通じて該精製水タンク５に環流し、残余の部分が前記透析液調製器側に供給されることになる。ここでは磁気処理器７ｆは、エンドトキシンの凝集ではなく、磁化水の生成が期待されているものである。
【００６７】
なお磁気処理器７ａ、７ｂ、７ｃ、７ｄ、７ｅ、７ｆを配した各供給配管６ａ、６ｃ、６ｋ、循環用配管６ｄ及び回収配管６ｉ中の原水、処理水、濃縮水又は精製水の流速は、磁気作用を良好にするために、１〜２m/sに調整した。
【図面の簡単な説明】
【００６８】
【図１】本発明を適用した実施例１の人工透析器用の精製水を製造する水処理装置の概略配管図。
【図２】(a)は供給配管に取り付けた磁気処理器の概略正面図、(b)は供給配管に取り付けた磁気処理器の一部切側面図。
【符号の説明】
【００６９】
１    原水タンク
２    前処理部
２ａ  軟水装置
２ｂ  活性炭濾過装置
３    軟水タンク
３ａ  紫外線殺菌灯
３ｂ  ポンプ装置
３ｃ  取出配管
３ｄ  加温装置
３ｅ  戻り配管
４    逆浸透処理部
４ａ  逆浸透膜モジュール
４ｂ  ポンプ装置
５    精製水タンク
５ａ  紫外線殺菌灯
５ｂ  ヒータ装置
６ａ、６ｂ、６ｃ、６ｅ、６ｋ  供給配管
６ａ１、６ｃ１、６ｇ１、６ｋ１  ポンプ装置
６ａ２、６ｃ２、６ｃ４、６ｄ２、６ｇ２  逆止弁
６ａ３、６ｃ３、６ｄ１、６ｆ１、６ｈ１、６ｉ１、６ｌ１  バルブ
６ｄ、６ｆ、６ｇ、６ｈ、６ｌ  循環用配管
６ｉ、６ｊ  回収配管
７ａ、７ｂ、７ｃ、７ｄ、７ｅ、７ｆ  磁気処理器
８    導入配管
９    排水回収モジュール
ｂ    ボルト・ナット
Ｃ    カバー部材
ｆ    鍔部
ｍ    永久磁石
【図１】
2005144389.tif 000003
【図２】
2005144389.tif 000004